(57)【要約】【課題】熟練を要することなく、患者に良好に適合したワイヤークラスプを容易に製作できるようにする。【解決手段】ワイヤー１０を、Ｕ字状の谷２と、逆Ｕ字状の第１および第２の山３、４を有する波形状であって、谷と第１および第２の山とがほぼ同じ曲率となり、かつ谷がアンダーカットに対応する形状に湾曲させる。谷の部分をアーチ状に湾曲させるとともに、第１および第２の山の部分を谷との境界ｂ、ｃ付近を基点として、山の頂点８、９から外側にのびる部分が谷の部分の形成するアーチ面の外側を向くように、基点のまわりに所定の鋭角捩じり、第１の山の頂点を越えた第１の所定位置ｅでワイヤーを切断することにより、第１の山の残った部分をクラスプの鉤尖部とし、谷から第２の山の頂点を越えた第２の所定位置ｆに至る部分をクラスプの鉤腕部とする。第２の所定位置から外側にのびる部分を湾曲させてクラスプの固定部とする。【選択図】図１
2014171834.tif 000002
【特許請求の範囲】
【請求項１】
欠損歯の代用となる部分義歯の義歯床に備えられ、前記部分義歯に隣接する鉤歯に係合することによって、前記義歯床を前記鉤歯に支持、固定するワイヤークラスプであって、前記義歯床に埋設されて前記義歯床と一体化される固定部と、前記固定部に接続して前記固定部からのび、前記鉤歯の頬側面または唇側面または舌側面のアンダーカットの外側において前記鉤歯を取り巻くように配置される鉤腕部と、前記鉤腕部の先端に接続して前記鉤腕部からのび、前記アンダーカットに係合する鉤尖部と、からなるものを製作する方法において、
（１）所定の長さのワイヤーを、平面上にのび、Ｕ字状の谷と、前記谷の両側に接続する逆Ｕ字状の第１および第２の山とを有する波形状であって、前記谷と前記第１および第２の山とがほぼ同じ曲率となり、かつ前記谷が前記アンダーカットに対応するような形状に湾曲させ、
（２）前記波形状に湾曲させたワイヤーの前記谷の部分を前記平面の一方側にアーチ状に湾曲させるとともに、前記第１および第２の山の部分のそれぞれを前記谷との境界付近を基点として、前記第１および第２の山の頂点から外側にのびる部分が、それぞれ、前記谷の部分の形成するアーチ面の外側を向くように、該基点のまわりに所定の鋭角捩じり、前記第１の山の頂点を前記谷と反対側に越えた第１の所定位置で前記ワイヤーを切断することにより、前記第１の山の残った部分を前記クラスプの鉤尖部とするとともに、前記谷から前記第２の山の頂点を越えた第２の所定位置に至る部分を前記クラスプの前記鉤腕部とし、さらに、
（３）前記第２の所定位置から外側にのびる部分をさらに湾曲させて、前記クラスプの前記固定部とすることを特徴とする方法。
【請求項２】
欠損歯の代用となる部分義歯の義歯床に備えられ、前記部分義歯に隣接する鉤歯に係合することによって、前記義歯床を前記鉤歯に支持、固定するワイヤークラスプであって、前記義歯床に埋設されて前記義歯床と一体化される固定部と、前記固定部に接続して前記固定部からのび、前記鉤歯の頬側面または唇側面または舌側面のアンダーカットの外側において前記鉤歯を取り巻くように配置される鉤腕部と、前記鉤腕部の先端に接続して前記鉤腕部からのび、前記アンダーカットに係合する鉤尖部と、からなるものを製作する装置であって、
互いに対をなす雄型および雌型を備え、
前記雄型は、互いに平行な一面および他面と、それらの間にのびる側面とからなり、前記雄型の一面には、当該一面上への射影がＵ字状をなし、ワイヤーの径に対応する幅の上端面を有する突起が設けられ、
前記突起は、
前記Ｕ字の頂点付近の部分を形成するとともに、前記Ｕ字の軸に直交する面上への射影が上向きに凹または凸となるアーチ状に湾曲した第１の突起部分と、
前記第１の突起部分の両端にそれぞれ接続して前記第１の突起部分からのび、前記第１の突起部分が前記凹となるアーチ状に湾曲する場合には、前記第１の突起部分との接続位置から長さ方向に高さが徐々に増大して所定の最高点に達したのち、高さが徐々に減少するように形成されるが、前記第１の突起部分が前記凸となるアーチ状に湾曲する場合には、前記第１の突起部分との接続位置から長さ方向に高さが徐々に減少して所定の最低点に達したのち、高さが徐々に増大するように形成された第２および第３の突起部分と、からなり、
前記第２および第３の突起部分は、前記第１の突起部分が前記凹となるアーチ状に湾曲する場合には、前記Ｕ字の軸方向に見たとき前記雄型の前記一面からハ字状にのびるが、前記第１の突起部分が前記凹となるアーチ状に湾曲する場合には、前記Ｕ字の軸方向に見たとき前記雄型の前記一面から逆ハ字状にのびており、
前記雌型は、互いに平行な一面および他面と、それらの間にのびる側面とからなり、前記雌型の一面には、当該一面上への射影がＵ字状をなし、前記雄型の前記突起に対応する溝が設けられ、
前記溝は、前記第１の突起部分に対応する第１の溝部分と、前記第１の溝部分の一端に接続し、前記第２の突起部分に対応する第２の溝部分と、前記第１の溝部分の他端に接続し、前記第３の突起部分に対応する第３の溝部分とからなり、
前記第１の溝部分は、前記Ｕ字の頂点付近の部分を形成するとともに、前記Ｕ字の軸に直交する面上への射影が上向きに凸または凹となるアーチ状に湾曲し、
前記第２および第３の溝部分はそれぞれ、前記第１の溝部分が前記凸となるアーチ状に湾曲する場合には、前記第１の溝部分との接続位置から長さ方向に深さが徐々に増大して最深点に達したのち、深さが徐々に減少するように形成されるが、前記第１の溝部分が前記凹となるアーチ状に湾曲する場合には、前記第１の溝部分との接続位置から長さ方向に深さが徐々に減少して最浅点に達したのち、深さが徐々に増大するように形成され、
前記第２および第３の溝部分は、前記第１の溝部分が前記凸となるアーチ状に湾曲する場合には、前記Ｕ字の軸方向に見たとき前記雌型の前記一面からハ字状にのびるが、前記第１の溝部分が前記凹となるアーチ状に湾曲する場合には、前記Ｕ字の軸方向に見たとき前記雌型の前記一面から逆ハ字状にのびており、
前記第２の溝部分の先端面には、ワイヤーに対応する径を有し、前記先端面から前記雌型の内部を貫通してのびるワイヤー固定用穴が設けられ、さらに、前記第３の溝部分の先端は前記雌型の側面に開口しており、さらに、
前記雄型および前記雌型が前記一面同士を互いに対向させた状態で取り付けられるとともに、前記雄型および前記雌型を、前記雄型および前記雌型が互いに離れた離間位置と、前記雄型および前記雌型が互いに密着したプレス位置との間で運動させるプレス機構を備え、
前記雌型の前記ワイヤー固定用穴にワイヤーの一端が差し込まれるとともに、前記ワイヤーが前記溝内にセットされた後、前記雄型および前記雌型によってプレスされることにより、前記第２の溝部分および前記第２の突起部分間に位置するワイヤー部分が前記クラスプの前記鉤尖部として成形され、前記第１および第３の溝部分と前記第１および第３の突起部分との間に位置するワイヤー部分が前記クラスプの前記鉤腕部として成形され、さらに、前記第３の溝部分および前記第３の突起部分から外部にのびるワイヤー部分が前記クラスプの前記固定部として成形されるものであることを特徴とする装置。
【請求項３】
前記プレス機構は万力からなっており、前記万力の固定ブロックおよび可動ブロックの互いに対向する面の一方に、前記雄型および前記雌型の一方が取り付けられ、前記互いに対向する面の他方に前記雄型および前記雌型の他方が取り付けられていることを特徴とする請求項２に記載の装置。
【請求項４】
前記万力の前記固定ブロックおよび前記可動ブロックの互いに対向する面には、それぞれ、互いに対向する位置に、上下にのび、上端が関係する前記ブロックの上端面に開口した蟻溝が形成され、前記雄型および前記雌型のそれぞれの前記他面には、前記蟻溝と対をなす蟻ほぞが設けられており、前記雄型および前記雌型の前記蟻ほぞが、前記固定ブロックおよび前記可動ブロックの蟻溝に嵌め込まれることによって、前記雄型および前記雌型が前記固定ブロックおよび前記可動ブロックに取り付けられることを特徴とする請求項３に記載の装置。
【発明の詳細な説明】
【技術分野】
【０００１】
本発明は、欠損歯に代用される部分義歯の義歯床に備えられ、部分義歯に隣接する鉤歯に係合することにって、義歯床を鉤歯に支持、固定するクラスプ、特にワイヤークラスプを製作する方法および装置に関するものである。
【背景技術】
【０００２】
部分義歯は、人口歯、人口歯を保持する義歯床、および、義歯床に備えられ、部分義歯に隣接する鉤歯に着脱自在に嵌合するクラスプ等から構成されている。
クラスプには、金属線材料を曲げて製作するワイヤークラスプと、合金を鋳造して製作するキャストクラスプがあり、鉤歯に係合することによって、義歯床の離脱やぐらつきを防止する機能を有している（例えば、特許文献１参照）。
【０００３】
ワイヤークラスプは、通常、約０．９〜１．２ｍｍ径の金属線材料（ワイヤー）を、鉗子と呼ばれる専用のプライヤーを用いて手作業で鉤歯の形状に適合するように曲げることによって製作されている。
この製作工程では、まず、患者の口腔内から対象とされる歯牙が型どりされて石膏模型が製作され、次いで、石膏模型中の残存歯牙の中から部分義歯に対する鉤歯が選択され、そして、ワイヤーが、鉗子を用いて手作業で、鉤歯の曲面形状に適合するようにフック状に曲げられる。
【０００４】
そして、ワイヤークラスプは、義歯床に埋め込まれてこれと一体化される固定部と、固定部からフック状にのび、鉤歯のアンダーカットの外側において鉤歯を取り巻く鉤腕部と、鉤腕部からのび、鉤歯のアンダーカットに進入する鉤尖部とを備えた形状とされる。
こうして、部分義歯が歯の欠損部に装着されたとき、義歯床から鉤歯を取り巻いてのびるワイヤークラスプの鉤尖部が鉤歯のアンダーカットに係合し、それによって、ワイヤークラスプの全体がバネとして機能するようになっている。
【０００５】
この場合、ワイヤークラスプの鉤尖部のアンダーカットへの進入量、よって、鉤尖部の曲がり具合は、部分義歯の装着感や、装着時の鉤歯に及ぼされる負荷に大きく影響するので、鉤尖部の曲がり具合の設定は、ワイヤークラスプ製作上、非常に重要である。
【０００６】
しかしながら、ワイヤークラスプの製作は鉗子を用いて手作業で行われ、その上、ワイヤーは大きな剛性を有し、曲げるのに相当な力を必要とするので、患者にうまく適合したワイヤークラスプを製作するのには、かなりの熟練および手間を要していた（例えば、特許文献２参照）。
【先行技術文献】
【特許文献】
【０００７】
【特許文献１】国際公開ＷＯ２００６／１３１９６９号パンフレット
【特許文献２】特開２００５−３２９１９７号公報
【発明の概要】
【発明が解決しようとする課題】
【０００８】
したがって、本発明の課題は、熟練を要することなく、患者に良好に適合したワイヤークラスプを容易に製作できるようにすることにある。
【課題を解決するための手段】
【０００９】
上記課題を解決するため、第１の発明は、欠損歯の代用となる部分義歯の義歯床に備えられ、前記部分義歯に隣接する鉤歯に係合することによって、前記義歯床を前記鉤歯に支持、固定するワイヤークラスプであって、前記義歯床に埋設されて前記義歯床と一体化される固定部と、前記固定部に接続して前記固定部からのび、前記鉤歯の頬側面または唇側面または舌側面のアンダーカットの外側において前記鉤歯を取り巻くように配置される鉤腕部と、前記鉤腕部の先端に接続して前記鉤腕部からのび、前記アンダーカットに係合する鉤尖部と、からなるものを製作する方法において、
（１）所定の長さのワイヤーを、平面上にのび、Ｕ字状の谷と、前記谷の両側に接続する逆Ｕ字状の第１および第２の山とを有する波形状であって、前記谷と前記第１および第２の山とがほぼ同じ曲率となり、かつ前記谷が前記アンダーカットに対応するような形状に湾曲させ、さらに、
（２）前記波形状に湾曲させたワイヤーの前記谷の部分を前記平面の一方側にアーチ状に湾曲させるとともに、前記第１および第２の山の部分のそれぞれを前記谷との境界付近を基点として、前記第１および第２の山の頂点から外側にのびる部分が、それぞれ、前記谷の部分の形成するアーチ面の外側を向くように、該基点のまわりに所定の鋭角捩じり、前記第１の山の頂点を前記谷と反対側に越えた第１の所定位置で前記ワイヤーを切断することにより、前記第１の山の残った部分を前記クラスプの鉤尖部とするとともに、前記谷から前記第２の山の頂点を越えた第２の所定位置に至る部分を前記クラスプの前記鉤腕部とし、さらに、
（３）前記第２の所定位置から外側にのびる部分をさらに湾曲させて、前記クラスプの前記固定部とすることを特徴とする方法としたものである。
【００１０】
上記課題を解決するため、また、第２の発明は、欠損歯の代用となる部分義歯の義歯床に備えられ、前記部分義歯に隣接する鉤歯に係合することによって、前記義歯床を前記鉤歯に支持、固定するワイヤークラスプであって、前記義歯床に埋設されて前記義歯床と一体化される固定部と、前記固定部に接続して前記固定部からのび、前記鉤歯の頬側面または唇側面または舌側面のアンダーカットの外側において前記鉤歯を取り巻くように配置される鉤腕部と、前記鉤腕部の先端に接続して前記鉤腕部からのび、前記アンダーカットに係合する鉤尖部と、からなるものを製作する装置であって、互いに対をなす雄型および雌型を備え、前記雄型は、互いに平行な一面および他面と、それらの間にのびる側面とからなり、前記雄型の一面には、当該一面上への射影がＵ字状をなし、ワイヤーの径に対応する幅の上端面を有する突起が設けられ、前記突起は、前記Ｕ字の頂点付近の部分を形成するとともに、前記Ｕ字の軸に直交する面上への射影が上向きに凹または凸となるアーチ状に湾曲した第１の突起部分と、前記第１の突起部分の両端にそれぞれ接続して前記第１の突起部分からのび、前記第１の突起部分が前記凹となるアーチ状に湾曲する場合には、前記第１の突起部分との接続位置から長さ方向に高さが徐々に増大して所定の最高点に達したのち、高さが徐々に減少するように形成されるが、前記第１の突起部分が前記凸となるアーチ状に湾曲する場合には、前記第１の突起部分との接続位置から長さ方向に高さが徐々に減少して所定の最低点に達したのち、高さが徐々に増大するように形成された第２および第３の突起部分と、からなり、前記第２および第３の突起部分は、前記第１の突起部分が前記凹となるアーチ状に湾曲する場合には、前記Ｕ字の軸方向に見たとき前記雄型の前記一面からハ字状にのびるが、前記第１の突起部分が前記凹となるアーチ状に湾曲する場合には、前記Ｕ字の軸方向に見たとき前記雄型の前記一面から逆ハ字状にのびており、前記雌型は、互いに平行な一面および他面と、それらの間にのびる側面とからなり、前記雌型の一面には、当該一面上への射影がＵ字状をなし、前記雄型の前記突起に対応する溝が設けられ、前記溝は、前記第１の突起部分に対応する第１の溝部分と、前記第１の溝部分の一端に接続し、前記第２の突起部分に対応する第２の溝部分と、前記第１の溝部分の他端に接続し、前記第３の突起部分に対応する第３の溝部分とからなり、前記第１の溝部分は、前記Ｕ字の頂点付近の部分を形成するとともに、前記Ｕ字の軸に直交する面上への射影が上向きに凸または凹となるアーチ状に湾曲し、前記第２および第３の溝部分はそれぞれ、前記第１の溝部分が前記凸となるアーチ状に湾曲する場合には、前記第１の溝部分との接続位置から長さ方向に深さが徐々に増大して最深点に達したのち、深さが徐々に減少するように形成されるが、前記第１の溝部分が前記凹となるアーチ状に湾曲する場合には、前記第１の溝部分との接続位置から長さ方向に深さが徐々に減少して最浅点に達したのち、深さが徐々に増大するように形成され、前記第２および第３の溝部分は、前記第１の溝部分が前記凸となるアーチ状に湾曲する場合には、前記Ｕ字の軸方向に見たとき前記雌型の前記一面からハ字状にのびるが、前記第１の溝部分が前記凹となるアーチ状に湾曲する場合には、前記Ｕ字の軸方向に見たとき前記雌型の前記一面から逆ハ字状にのびており、前記第２の溝部分の先端面には、ワイヤーに対応する径を有し、前記先端面から前記雌型の内部を貫通してのびるワイヤー固定用穴が設けられ、さらに、前記第３の溝部分の先端は前記雌型の側面に開口しており、さらに、前記雄型および前記雌型が前記一面同士を互いに対向させた状態で取り付けられるとともに、前記雄型および前記雌型を、前記雄型および前記雌型が互いに離れた離間位置と、前記雄型および前記雌型が互いに密着したプレス位置との間で運動させるプレス機構を備え、前記雌型の前記ワイヤー固定用穴にワイヤーの一端が差し込まれるとともに、前記ワイヤーが前記溝内にセットされた後、前記雄型および前記雌型によってプレスされることにより、前記第２の溝部分および前記第２の突起部分間に位置するワイヤー部分が前記クラスプの前記鉤尖部として成形され、前記第１および第３の溝部分と前記第１および第３の突起部分との間に位置するワイヤー部分が前記クラスプの前記鉤腕部として成形され、さらに、前記第３の溝部分および前記第３の突起部分から外部にのびるワイヤー部分が前記クラスプの前記固定部として成形されるものであることを特徴とする装置としたものである。
【００１１】
第２の発明の構成において、好ましくは、前記プレス機構は万力からなっており、前記万力の固定ブロックおよび可動ブロックの互いに対向する面の一方に、前記雄型および前記雌型の一方が取り付けられ、前記互いに対向する面の他方に前記雄型および前記雌型の他方が取り付けられている。
さらに好ましくは、前記万力の前記固定ブロックおよび前記可動ブロックの互いに対向する面には、それぞれ、互いに対向する位置に、上下にのび、上端が関係する前記ブロックの上端面に開口した蟻溝が形成され、前記雄型および前記雌型のそれぞれの前記他面には、前記蟻溝と対をなす蟻ほぞが設けられており、前記雄型および前記雌型の前記蟻ほぞが、前記固定ブロックおよび前記可動ブロックの蟻溝に嵌め込まれることによって、前記雄型および前記雌型が前記固定ブロックおよび前記可動ブロックに取り付けられるようになっている。
【発明の効果】
【００１２】
第１発明によれば、ワイヤーを一定の手順で規定の形状に湾曲させるだけで、鉤歯に良好に適合した形状のクラスプを、熟練を要することなく簡単に製作することができる。
完成したクラスプは、鉤腕部をなす谷の部分が形成するアーチ面の内側が鉤歯に対向する配置で、義歯床に結合される。
そして、このクラスプを備えた部分義歯が患者に装着された場合、クラスプの鉤尖部が鉤歯の歯間距離の約１／３の長さにわたってアンダーカットに進入するとともに、その鉤腕部がアンダーカットの外側において鉤歯を取り巻いて配置され、クラスプは、鉤歯との間に不要な隙間を生じさせることなく確実に係合する。それによって、部分義歯の装着中に部分義歯が容易に外れたり、ぐらついたりすることがなく、また、部分義歯の着脱を鉤歯に余計な負荷をかけずに行うことができる。
【００１３】
また、第２発明によれば、雌型の溝内にワイヤーをセットした後、プレス機構を用いて、当該雄型およびそれに対応する雄型を互いにプレスするだけで、ワイヤーを所定の形状に成形することによって、第１発明による方法で製作され得るものと同じクラスプを簡単に製作することができる。
【図面の簡単な説明】
【００１４】
【図１】本発明の１実施例による歯科用クラスプ製作方法を説明する図であり、（Ａ）は、ワイヤーを平面上において波形に湾曲させた状態を示す平面図であり、（Ｂ）は、完成したクラスプ（ただし、固定部は切断してある）を平面上に置いて、クラスプの縦軸方向に撮影した写真であり、（Ｃ）は、（Ｂ）に示したのと同一のクラスプを平面上に置いて、斜め上方から撮影した写真である。
【図２】本発明の方法および装置によって製作されたワイヤークラスプが鉤歯に係合した状態を示す図であり、（Ａ）は、歯の頬側面側から見た斜視図であり、（Ｂ）は、歯の上方から見た斜視図であり、（Ｃ）は、歯の上方から見た平面図である。
【図３】本発明による歯科用クラスプ製作装置の斜視図である。
【図４】図３に示した装置に備えられた金型を示す図であり、（Ａ）は雄型の斜視図であり、（Ｂ）は雌型の斜視図であり、（Ｃ）は雌型の平面図である。
【発明を実施するための形態】
【００１５】
以下、添付図面を参照して本発明の好ましい実施例を説明する。
本発明は、歯科用クラスプ、特に、欠損歯の代用となる部分義歯の義歯床に備えられ、部分義歯に隣接する鉤歯に係合することによって、義歯床を鉤歯に支持、固定するワイヤークラスプを製作する方法と装置を提供するものである。
【００１６】
図２は、本発明による方法および装置によって製作されたワイヤークラスプが鉤歯に係合した状態を示す図であり、（Ａ）は、歯の頬側面側から見た斜視図であり、（Ｂ）は、歯の上方から見た斜視図であり、（Ｃ）は、歯の上方から見た平面図である。
図２を参照して、ワイヤークラスプ１は、義歯床（図示はしない）に埋設されてこれと一体化される固定部１３と、固定部１３に接続してこれからのび、鉤歯１１の頬側面または唇側面または舌側面、この実施例では、頬側面１２のアンダーカットの外側においてアンダーカットを取り巻くように配置される鉤腕部１４と、鉤腕部１４の先端に接続してこれからのび、アンダーカットに係合する鉤尖部１５と、からなっている。
【００１７】
図１は、本発明による歯科用クラスプ製作方法を説明する図であり、（Ａ）は、ワイヤーを平面上において波形に湾曲させた状態を示す平面図であり、（Ｂ）は、完成したクラスプ（ただし、クラスプの湾曲状態を明瞭にするため、固定部は切断してある）を平面上に置いて、クラスプの縦軸方向に撮影した写真であり、（Ｃ）は、（Ｂ）に示したものと同一のクラスプを平面上に置いて、斜め上方から撮影した写真である。
【００１８】
本発明によるワイヤークラスプの製作法では、まず、図１（Ａ）に示すように、所定の長さのワイヤー１０を、平面上にのび、Ｕ字状の谷２（ｂ−ｃ間の部分）と、谷２の両側に接続する逆Ｕ字状の第１の山３（ａ−ｂ間の部分）および第２の山４（ｃ−ｄ間の部分）とを有する波形状であって、谷２と第１および第２の山３、４とがほぼ同じ曲率となり、かつ谷２がアンダーカットに対応するような形状に湾曲させる。こうして、異なる種類の鉤歯のそれぞれに対し、谷２と、第１および第２の山３、４が当該鉤歯に適合する曲率となるように曲げられる。
この場合、図示のように、第１および第２の山３、４のそれぞれの外側に延長部分５、６を設けておくことが好ましい（第２の山４側の延長部分６は、クラスプ１の固定部１３の一部を形成する）。
【００１９】
次いで、図１（Ａ）〜（Ｃ）に示すように、この波形状に湾曲させたワイヤー１０の谷２の部分を前記平面の一方側にアーチ状に湾曲させるとともに、第１および第２の山３、４の部分のそれぞれを、谷２との境界ｂ、ｃ付近を基点として、第１および第２の山３、４の頂点８、９から外側にのびる部分５、６が、それぞれ、谷２の部分の形成するアーチ面の外側を向くように、該基点のまわりに所定の鋭角捩じり、第１の山３の頂点８を谷２と反対側に越えた第１の所定位置ｅでワイヤー１０を切断することにより、第１の山３の残った部分をクラスプ１の鉤尖部１５とするとともに、谷２から第２の山４を越えた第２の所定位置ｆに至る部分をクラスプ１の鉤腕部１４とする。
この場合、第１の所定位置ｅはクラスプ１の鉤尖部１４の先端に対応し、第２の所定位置ｆはクラスプ１の鉤腕部１４の基端に対応するものであり、これらは、鉤歯の種類毎に鉤歯のサイズに応じて適当に決定される。また、基点のまわりに捩じる角度（鋭角）の大きさは、鉤歯の種類に応じて当該鉤歯に適合するように決定される。
【００２０】
さらに、第２の所定位置ｆから外側にのびる部分をさらに湾曲させて、クラスプ１の固定部１３とする。
【００２１】
こうして、本発明によれば、ワイヤーを一定の手順で規定の形状に湾曲させるだけで、鉤歯に良好に適合した形状のクラスプを、熟練を要することなく簡単に製作することができる。
完成したクラスプ１は、鉤腕部１４をなす谷２の部分が形成するアーチ面の内側が鉤歯１１に対向する配置で、義歯床に結合される。
そして、このクラスプ１を備えた部分義歯が患者に装着された場合、図２（Ｃ）に示すように、クラスプ１の鉤尖部１５が鉤歯１１の歯間距離ｓの約１／３の長さにわたってアンダーカットに進入するとともに、その鉤腕部１４がアンダーカットの外側において鉤歯を取り巻いて配置され、クラスプ１は、鉤歯１１との間に不要な隙間を生じさせることなく確実に係合する。それによって、装着された部分義歯が容易に外れたり、ぐらついたりすることがなく、しかも、部分義歯の着脱を、鉤歯に余計な負荷をかけずに行うことができる。
【００２２】
図３は、本発明による歯科用クラスプ製作装置の斜視図である。また、図４は、図３に示した装置に備えられた金型を示す図であり、（Ａ）は雄型の斜視図であり、（Ｂ）は雌型の斜視図であり、（Ｃ）は雌型の平面図である。
なお、図３および図４の装置は、上述の方法で製作されたクラスプと同様のものを製作するための装置であり、よって、図１に示した各構成要素との対応関係を明確にすべく、図４（Ａ）中、図１の構成要素に対応する構成要素には、図１と同じ番号および記号を付記した。
【００２３】
図３および図４に示すように、本発明による装置は、互いに対をなす雄型２３および雌型２４を備えている。
雄型２３は、互いに平行な一面２３ａおよび他面２３ｂと、それらの間にのびる側面２３ｃとからなる直方体形状を有し、雄型２３の一面２３ａには当該一面２３ａ上への射影がＵ字状をなし、ワイヤーの径に対応する幅の上端面を有する突起２５が設けられている。
【００２４】
突起２５は、Ｕ字の頂点付近の部分を形成するとともに、前記Ｕ字の軸に直交する面上への射影が上向きに凹となるアーチ状に湾曲した第１の突起部分２５ａと、第１の突起部分２５ａの両端にそれぞれ接続して第１の突起部分２５ａからのび、第１の突起部分２５ａとの接続位置ｉ、ｊから長さ方向に高さが徐々に増大して所定の最高点ｇ、ｈに達したのち、高さが徐々に減少するように形成される第２および第３の突起部分２５ｂ、２５ｃとからなっている。
第２および第３の突起部分２５ｂ、２５ｃは、さらに、前記Ｕ字の軸に見たとき雄型２３の一面２３ａからハ字状にのびている。
【００２５】
雌型２４は、互いに平行な一面２４ａおよび他面２４ｂと、それらの間にのびる側面２４ｃとからなる直方体形状を有し、雌型２４の一面２４ａには、当該一面２４ａ上への射影がＵ字状をなし、雄型２３の突起２５に対応する溝２６が設けられている。
溝２６は、第１の突起部分２５ａに対応する第１の溝部分２６ａと、第１の溝部分２６ａの一端に接続し、第２の突起部分２５ｂに対応する第２の溝部分２６ｂと、第１の溝部分２６ａの他端に接続し、第３の突起部分２５ｃに対応する第３の溝部分２６ｃとからなっている。
【００２６】
第１の溝部分２６ａは、Ｕ字の頂点付近の部分を形成するとともに、図示はしないが、当該Ｕ字の軸に直交する面上への射影が上向きに凸となるアーチ状に湾曲している。
また、図示はしないが、第２および第３の溝部分２６ｂ、２６ｃはそれぞれ、第１の溝部分２６ａとの接続位置から長さ方向に深さが徐々に増大して最深点に達したのち、深さが徐々に減少するように形成されている。
図示はしないが、第２および第３の溝部分２６ｂ、２６ｃは、さらに、溝２６のＵ字の軸方向に見たとき雌型２４の一面２４ａからハ字状にのびている。
【００２７】
また、図示はしないが、第２の溝部分２６ｂの先端面には、ワイヤーに対応する径を有し、当該先端面から雌型２４の内部を貫通してのびるワイヤー固定用穴が設けられている。
さらに、第３の溝部分２６ｃの先端は雌型２４の側面２４ｃに開口し、側面２４ｃには、第３の溝部分２６ｃの底面に接続する周面を備えた拡張部２７が設けられている。拡張部２７の周面は、第３の溝部分２６ｃから下向きに、かつ第３の溝部分２６ｃがのびる向きに凸となるように湾曲している。
【００２８】
装置は、さらに、万力２０を備えている。
万力２０の固定ブロック２１および可動ブロック２２の互いに対向する面２１ａ、２２ａには、それぞれ、互いに対向する位置に、上下にのび、上端が関係するブロック２１、２２の上端面に開口した蟻溝２１ｂ、２２ｂが形成されている。
一方、雄型２３および雌型２４のそれぞれの他面２３ｂ、２４ｂには、蟻溝２１ｂ、２２ｂと対をなす蟻ほぞ２８、２９が設けられている。
【００２９】
そして、固定ブロック２１の蟻溝２１ｂに雌型２４の蟻ほぞ２８が嵌め込まれ、可動ブロック２２の蟻溝２２ｂに雄型２３の蟻ほぞ２９が嵌め込まれることによって、雄型２３および雌型２４が、万力に着脱自在に取り付けられるようになっている。
この場合、雄型２３を固定ブロック２１に、雌型２４を可動ブロック２２にそれぞれ取り付ける構成とすることもできることは言うまでもない。
【００３０】
雄型２３および雌型２４を着脱自在としたことにより、鉤歯の種類毎に異なる金型の組（雄型および雌型）を容易に交換できるとともに、それらを固定および可動ブロックに正確に位置決めした状態で取り付けることができる。
【００３１】
そして、雌型のワイヤー固定用穴にワイヤーの一端が差し込まれて、ワイヤーが溝内にセットされた後、雄型および前記雌型によってプレスされることにより、第２の溝部分および第２の突起部分間に位置するワイヤー部分がクラスプの鉤尖部として成形され、第１および第３の溝部分と第１および第３の突起部分との間に位置するワイヤー部分がクラスプの鉤腕部として成形され、さらに、プレス状態で、第３の溝部分および第３の突起部分から外部にのびるワイヤー部分が雌型２４の拡張部２７の周面に沿って曲げられることによって、クラスプの固定部として成形される。
【００３２】
こうして、本発明の装置によれば、雌型の溝内にワイヤーをセットした後、プレス機構を用いて、当該雄型およびそれに対応する雄型を互いにプレスするだけで、ワイヤーを所定の形状に成形することによって、本発明による方法を用いて製作され得るものと同じクラスプを簡単に製作することができる。
【００３３】
以上、本発明の構成を好ましい１実施例に基づいて説明したが、本発明の構成は上記実施例に限定されるものではなく、特許請求の範囲に記載した事項の範囲内で種々の変形例が創作可能であることは言うまでもない。
【００３４】
例えば、上記装置において、雄型の突起の凹凸形状と、雌型の溝の凹凸形状を互いに入れ替えた構成とすることができる。この場合には、雄型の突起は、Ｕ字の頂点付近の部分を形成するとともに、当該Ｕ字の軸に直交する面上への射影が上向きに凸となるアーチ状に湾曲した第１の突起部分と、第１の突起部分の両端にそれぞれ接続してこれからのび、第１の突起部分との接続位置から長さ方向に高さが徐々に減少して所定の最低点に達したのち、高さが徐々に増大するように形成される第２および第３の突起部分とからなり、第２および第３の突起部分が、Ｕ字の軸に見たとき雄型の一面から逆ハ字状にのびる。
一方、雌型の溝は、Ｕ字の頂点付近の部分を形成するとともに、当該Ｕ字の軸に直交する面上への射影が上向きに凹となるアーチ状に湾曲した第１の溝部分と、第１の溝部分の両端にそれぞれ接続してこれからのび、第１の溝部分との接続位置から長さ方向に深さが徐々に減少して最浅点に達したのち、深さが徐々に増大するように形成された第２および第３の溝部分とからなり、第２および第３の溝部分は、溝のＵ字の軸方向に見たとき雌型一面２４ａから逆ハ字状にのびている。
【００３５】
また、上記装置において、雄型および雌型を互いにプレスする手段は万力に限定されず、雄型および雌型が一面同士を互いに対向させた状態で取り付けられるとともに、雄型および雌型を、それらが互いに離れた離間位置と、それらが互いに密着したプレス位置との間で運動させる公知の任意のプレス機構を備えておればよい。
【符号の説明】
【００３６】
１  ワイヤークラスプ
２  谷
３  第１の山
４  第２の山
５  延長部分
６  延長部分
７  谷の頂点
８  第１の山の頂点
９  第２の山の頂点
１０  ワイヤー
１１  鉤歯
１２  頬側面
１３  固定部
１４  鉤腕部
１５  鉤尖部
２０  万力
２１  固定ブロック
２１ａ  可動ブロックに対向する面
２１ｂ  蟻溝
２２  可動ブロック
２２ａ  固定ブロックに対向する面
２２ｂ  蟻溝
２３  雄型
２３ａ  一面
２３ｂ  他面
２３ｃ  側面
２４  雌型
２４ａ  一面
２４ｂ  他面
２４ｃ  側面
２５  突起
２５ａ  第１の突起部分
２５ｂ  第２の突起部分
２５ｃ  第３の突起部分
２６  溝
２６ａ  第１の溝部分
２６ｂ  第２の溝部分
２６ｃ  第３の溝部分
２７  拡張部
ａ  第１の山の外側端
ｂ  第１の山と谷との境界
ｃ  第２の山と谷との境界
ｄ  第２の山の外側端
ｅ  第１の所定位置
ｆ  第２の所定位置
ｇ  第２の突起部分の最高点
ｈ  第３の突起部分の最高点
ｉ  第１の突起部分と第２の突起部分との接続位置
ｊ  第１の突起部分と第３の突起部分との接続位置
ｓ  歯間距離
【図２】
2014171834.tif 000003
【図３】
2014171834.tif 000004
【図４】
2014171834.tif 000005
【図１】
2014171834.tif 000006